(57)【要約】【課題】複数の場所を移動する移動体の動きの態様を容易にモニターする。【解決手段】各磁界通信装置１はループアンテナを備え、ループアンテナによりその周囲のみに磁界通信可能エリア１１を形成し、設置場所ＩＤを常時、磁界通信可能エリア１１に放出している。顧客は、各売り場を移動する。顧客のもつ買い物かごに入った磁界通信端末２は、磁界通信可能エリア１１に進入したなら、磁界通信装置１から、設置場所ＩＤを受信する。そして、磁界通信端末２は、磁界通信端末内の記憶装置に設置場所ＩＤと進入時刻と進入時刻からの経過時間を対応づけて記録する。顧客は、最後に精算場所（レジ）に移動する。磁界通信端末２は、磁界通信可能エリア３１に進入したなら、記憶装置から設置場所ＩＤと進入時刻と経過時間を全て読み出し、磁界通信サーバ３に送信する。【選択図】図１
2017028558.tif 000002
【特許請求の範囲】
【請求項１】
１つのエリアにおける複数の場所のそれぞれに設置される磁界通信装置と、前記エリアの中を移動する移動体に設置される磁界通信端末と、前記エリアの出口に設置される磁界通信サーバとを備える動態モニターシステムであって、
前記磁界通信装置はループアンテナを備え、当該ループアンテナにより周囲のみに磁界通信可能エリアを形成し、磁界通信装置の設置場所を示す設置場所ＩＤを常時、磁界通信可能エリアに放出し、
前記磁界通信端末は、前記磁界通信可能エリアに進入したなら、前記設置場所ＩＤを受信し、前記磁界通信端末内の記憶装置に当該設置場所ＩＤと進入時刻と進入時刻からの経過時間を記録し、
前記磁界通信サーバはループアンテナを備え、当該ループアンテナにより周囲のみに磁界通信可能エリアを形成し、磁界通信可能エリアに前記磁界通信端末が進入したなら、前記磁界通信端末から前記設置場所ＩＤと進入時刻と経過時間を受信し、前記磁界通信サーバ内の記憶装置に記録する
ことを特徴とする動態モニターシステム。
【請求項２】
１つのエリアにおける複数の場所のそれぞれに設置される磁界通信装置と、前記エリアの中を移動する移動体に設置される磁界通信端末と、前記磁界通信端末との電磁波通信が可能な集約装置とを備える動態モニターシステムであって、
前記磁界通信装置はループアンテナを備え、当該ループアンテナにより周囲のみに磁界通信可能エリアを形成し、磁界通信装置の設置場所を示す設置場所ＩＤ、現在時刻およびトリガ信号を常時、磁界通信可能エリアに放出し、
前記磁界通信端末は、前記磁界通信可能エリアに進入したなら、前記設置場所ＩＤ、現在時刻およびトリガ信号を受信し、受信した設置場所ＩＤ、受信した現在時刻並びに、前記磁界通信端末を示す磁界通信端末ＩＤを前記集約装置に送信する
ことを特徴とする動態モニターシステム。
【請求項３】
１つのエリアにおける複数の場所のそれぞれに設置される磁界通信装置と、前記エリアの中を移動する移動体に設置される磁界通信端末と、前記磁界通信装置との通信が可能な集約装置とを備える動態モニターシステムであって、
前記磁界通信装置はループアンテナを備え、当該ループアンテナにより周囲のみに磁界通信可能エリアを形成し、トリガ信号を磁界通信可能エリアに放出し、
前記磁界通信端末は、前記トリガ信号を受信したなら、前記磁界通信端末を示す磁界通信端末ＩＤを前記磁界通信装置に送信し、
前記磁界通信装置は、前記磁界通信端末ＩＤを受信し、磁界通信端末ＩＤおよび磁界通信端末ＩＤの受信時刻を前記集約装置に送信する
ことを特徴とする動態モニターシステム。
【請求項４】
１つのエリアにおける複数の場所のそれぞれに設置される磁界通信装置と、前記エリアの中を移動する移動体に設置される磁界通信端末と、前記エリアの出口に設置される磁界通信サーバとを備える動態モニターシステムの動作方法であって、
前記磁界通信装置が、該磁界通信装置のループアンテナにより周囲のみに磁界通信可能エリアを形成し、磁界通信装置の設置場所を示す設置場所ＩＤを常時、磁界通信可能エリアに放出し、
前記磁界通信端末が、前記磁界通信可能エリアに進入し、前記設置場所ＩＤを受信し、前記磁界通信端末内の記憶装置に当該設置場所ＩＤと進入時刻と進入時刻からの経過時間を記録し、
前記磁界通信サーバが、ループアンテナにより周囲のみに磁界通信可能エリアを形成し、磁界通信可能エリアに前記磁界通信端末が進入したなら、前記磁界通信端末から前記設置場所ＩＤと進入時刻と経過時間を受信し、前記磁界通信サーバ内の記憶装置に記録する
ことを特徴とする動態モニターシステムの動作方法。
【請求項５】
１つのエリアにおける複数の場所のそれぞれに設置される磁界通信装置と、前記エリアの中を移動する移動体に設置される磁界通信端末と、前記磁界通信端末との電磁波通信が可能な集約装置とを備える動態モニターシステムの動作方法であって、
前記磁界通信装置が、該磁界通信装置のループアンテナにより周囲のみに磁界通信可能エリアを形成し、磁界通信装置の設置場所を示す設置場所ＩＤ、現在時刻およびトリガ信号を磁界通信可能エリアに放出し、
前記磁界通信端末が、前記磁界通信可能エリアに進入し、前記設置場所ＩＤ、現在時刻およびトリガ信号を受信し、受信した設置場所ＩＤ、受信した現在時刻並びに、前記磁界通信端末を示す磁界通信端末ＩＤを前記集約装置に送信する
ことを特徴とする動態モニターシステムの動作方法。
【請求項６】
１つのエリアにおける複数の場所のそれぞれに設置される磁界通信装置と、前記エリアの中を移動する移動体に設置される磁界通信端末と、前記磁界通信装置との通信が可能な集約装置とを備える動態モニターシステムの動作方法であって、
前記磁界通信装置が、該磁界通信装置のループアンテナにより周囲のみに磁界通信可能エリアを形成し、トリガ信号を磁界通信可能エリアに放出し、
前記磁界通信端末が、前記磁界通信可能エリアに進入し、前記トリガ信号を受信し、前記磁界通信端末を示す磁界通信端末ＩＤを前記磁界通信装置に送信し、
前記磁界通信装置が、前記磁界通信端末ＩＤを受信し、磁界通信端末ＩＤおよび磁界通信端末ＩＤの受信時刻を前記集約装置に送信する
ことを特徴とする動態モニターシステムの動作方法。
【発明の詳細な説明】
【技術分野】
【０００１】
本発明は、動態モニターシステムおよびその動作方法に関する。
【背景技術】
【０００２】
従来においては、例えば、食品店にある複数の売り場を移動する顧客の動きの態様（動態）をモニターすることが必要な場合がある。この場合、顧客が持つ買い物かごに無線装置を配置し、売り場毎にその周囲のみに通信エリアを形成し、無線装置が通信エリアに進入した際に通信を行い、この通信を記録すれば、顧客がどの売り場に行ったかを把握できる。
【先行技術文献】
【特許文献】
【０００３】
【特許文献１】特開２０１０−２１０３３３号公報
【発明の概要】
【発明が解決しようとする課題】
【０００４】
しかし、無線通信で使用される電磁波は、反射・輻射・干渉などの影響を受けやすい。また、電磁波は伝送媒体である空間に存在する物質の内、導電性物質の影響を受けやすい。
【０００５】
そのため、電磁波を使用して動態をモニターするには、障害物の配置、送信出力、受信感度、アンテナの配置など、詳細かつ繊細な調整が必要であった。
【０００６】
すなわち、電磁波を使用して複数の場所を移動する移動体の動きの態様をモニターすることは困難だった。
【０００７】
本発明は、上記従来の課題を解決すべくなされたものであり、複数の場所を移動する移動体の動きの態様を容易にモニターできる動態モニターシステムおよび動態モニターシステムの動作方法を提供することを目的とする。
【課題を解決するための手段】
【０００８】
上記課題を解決すべく、第１の本発明に係る動態モニターシステムは、１つのエリアにおける複数の場所のそれぞれに設置される磁界通信装置と、前記エリアの中を移動する移動体に設置される磁界通信端末と、前記エリアの出口に設置される磁界通信サーバとを備える動態モニターシステムであって、前記磁界通信装置はループアンテナを備え、当該ループアンテナにより周囲のみに磁界通信可能エリアを形成し、磁界通信装置の設置場所を示す設置場所ＩＤを常時、磁界通信可能エリアに放出し、前記磁界通信端末は、前記磁界通信可能エリアに進入したなら、前記設置場所ＩＤを受信し、前記磁界通信端末内の記憶装置に当該設置場所ＩＤと進入時刻と進入時刻からの経過時間を記録し、前記磁界通信サーバはループアンテナを備え、当該ループアンテナにより周囲のみに磁界通信可能エリアを形成し、磁界通信可能エリアに前記磁界通信端末が進入したなら、前記磁界通信端末から前記設置場所ＩＤと進入時刻と経過時間を受信し、前記磁界通信サーバ内の記憶装置に記録することを特徴とする。
【０００９】
第２の本発明に係る動態モニターシステムは、１つのエリアにおける複数の場所のそれぞれに設置される磁界通信装置と、前記エリアの中を移動する移動体に設置される磁界通信端末と、前記磁界通信端末との電磁波通信が可能な集約装置とを備える動態モニターシステムであって、前記磁界通信装置はループアンテナを備え、当該ループアンテナにより周囲のみに磁界通信可能エリアを形成し、磁界通信装置の設置場所を示す設置場所ＩＤ、現在時刻およびトリガ信号を常時、磁界通信可能エリアに放出し、前記磁界通信端末は、前記磁界通信可能エリアに進入したなら、前記設置場所ＩＤ、現在時刻およびトリガ信号を受信し、受信した設置場所ＩＤ、受信した現在時刻並びに、前記磁界通信端末を示す磁界通信端末ＩＤを前記集約装置に送信することを特徴とする。
【００１０】
第３の本発明に係る動態モニターシステムは、１つのエリアにおける複数の場所のそれぞれに設置される磁界通信装置と、前記エリアの中を移動する移動体に設置される磁界通信端末と、前記磁界通信装置との通信が可能な集約装置とを備える動態モニターシステムであって、前記磁界通信装置はループアンテナを備え、当該ループアンテナにより周囲のみに磁界通信可能エリアを形成し、トリガ信号を磁界通信可能エリアに放出し、前記磁界通信端末は、前記トリガ信号を受信したなら、前記磁界通信端末を示す磁界通信端末ＩＤを前記磁界通信装置に送信し、前記磁界通信装置は、前記磁界通信端末ＩＤを受信し、磁界通信端末ＩＤおよび磁界通信端末ＩＤの受信時刻を前記集約装置に送信することを特徴とする。
【００１１】
第４の本発明に係る動態モニターシステムの動作方法は、１つのエリアにおける複数の場所のそれぞれに設置される磁界通信装置と、前記エリアの中を移動する移動体に設置される磁界通信端末と、前記エリアの出口に設置される磁界通信サーバとを備える動態モニターシステムの動作方法であって、前記磁界通信装置が、該磁界通信装置のループアンテナにより周囲のみに磁界通信可能エリアを形成し、磁界通信装置の設置場所を示す設置場所ＩＤを常時、磁界通信可能エリアに放出し、前記磁界通信端末が、前記磁界通信可能エリアに進入し、前記設置場所ＩＤを受信し、前記磁界通信端末内の記憶装置に当該設置場所ＩＤと進入時刻と進入時刻からの経過時間を記録し、前記磁界通信サーバが、ループアンテナにより周囲のみに磁界通信可能エリアを形成し、磁界通信可能エリアに前記磁界通信端末が進入したなら、前記磁界通信端末から前記設置場所ＩＤと進入時刻と経過時間を受信し、前記磁界通信サーバ内の記憶装置に記録することを特徴とする。
【００１２】
第５の本発明に係る動態モニターシステムの動作方法は、１つのエリアにおける複数の場所のそれぞれに設置される磁界通信装置と、前記エリアの中を移動する移動体に設置される磁界通信端末と、前記磁界通信端末との電磁波通信が可能な集約装置とを備える動態モニターシステムの動作方法であって、前記磁界通信装置が、該磁界通信装置のループアンテナにより周囲のみに磁界通信可能エリアを形成し、磁界通信装置の設置場所を示す設置場所ＩＤ、現在時刻およびトリガ信号を磁界通信可能エリアに放出し、前記磁界通信端末が、前記磁界通信可能エリアに進入し、前記設置場所ＩＤ、現在時刻およびトリガ信号を受信し、受信した設置場所ＩＤ、受信した現在時刻並びに、前記磁界通信端末を示す磁界通信端末ＩＤを前記集約装置に送信することを特徴とする。
【００１３】
第６の本発明に係る動態モニターシステムの動作方法は、１つのエリアにおける複数の場所のそれぞれに設置される磁界通信装置と、前記エリアの中を移動する移動体に設置される磁界通信端末と、前記磁界通信装置との通信が可能な集約装置とを備える動態モニターシステムの動作方法であって、前記磁界通信装置が、該磁界通信装置のループアンテナにより周囲のみに磁界通信可能エリアを形成し、トリガ信号を磁界通信可能エリアに放出し、前記磁界通信端末が、前記磁界通信可能エリアに進入し、前記トリガ信号を受信し、前記磁界通信端末を示す磁界通信端末ＩＤを前記磁界通信装置に送信し、前記磁界通信装置が、前記磁界通信端末ＩＤを受信し、磁界通信端末ＩＤおよび磁界通信端末ＩＤの受信時刻を前記集約装置に送信することを特徴とする。
【発明の効果】
【００１４】
本発明によれば、複数の場所を移動する移動体の動きの態様を容易にモニターできる。
【図面の簡単な説明】
【００１５】
【図１】第１の実施の形態に係る動態モニターシステムの一利用形態を示す図である。
【図２】磁界通信装置１に接続されたループアンテナにより形成された磁界通信可能エリアに対し、顧客が持った買い物かごに入った磁界通信端末が進入した様子を示す図である。
【図３】第２の実施の形態に係る動態モニターシステムの一利用形態を示す図である。
【図４】第３の実施の形態に係る動態モニターシステムの一利用形態を示す図である。
【発明を実施するための形態】
【００１６】
以下、本発明の実施の形態について図面を参照して説明する。
【００１７】
［第１の実施の形態］
図１は、第１の実施の形態に係る動態モニターシステムの一利用形態を示す図である。
【００１８】
動態モニターシステムは、食品店などの１つのエリアに含まれる売り場などの複数の場所のそれぞれに設置される磁界通信装置１と、顧客が持った買い物かごなどのようなエリアの中を移動する移動体に設置される磁界通信端末２と、エリアの出口にあるレジの場所などに設置される磁界通信サーバ３とを備える。なお、動態モニターシステムは、食品店のみならず、複数の場所にブースが設けられた展示会場などでも使用できる。
【００１９】
磁界通信装置１は周囲のみに磁界通信可能エリア１１を形成し、また、磁界通信サーバ３も周囲のみに磁界通信可能エリア３１を形成する。
【００２０】
図２は、磁界通信装置１に接続されたループアンテナにより形成された磁界通信可能エリアに対し、顧客が持った買い物かごに入った磁界通信端末２が進入した様子を示す図である。
【００２１】
磁界通信装置１はループアンテナを備え、ループアンテナによりその周囲のみに磁界通信可能エリア１１を形成する。ループアンテナは、例えば、床に配置され、床の上に磁界通信可能エリア１１を形成する。顧客が持った買い物かごに入った磁界通信端末２が磁界通信可能エリア１１に進入したなら、磁界通信装置１と磁界通信端末２は磁界通信可能となり、磁界通信を行う。
【００２２】
図示しないが、磁界通信サーバ３も床などにループアンテナを備え、ループアンテナにより床の上のみに磁界通信可能エリア３１を形成する。顧客が持った買い物かごに入った磁界通信端末２が磁界通信可能エリア３１に進入したなら、磁界通信サーバ３と磁界通信端末２は磁界通信可能となり、磁界通信を行う。
【００２３】
図１に戻り、説明を続ける。
【００２４】
顧客は、食品店などに入ると、磁界通信端末２が入った買い物かごを取る。各磁界通信装置１は、磁界通信装置１の設置場所を示す設置場所ＩＤを常時、磁界通信可能エリア１１に放出している。
【００２５】
顧客は、例えば、野菜の売り場に移動する。磁界通信端末２は、磁界通信可能エリア１１に進入したなら、磁界通信装置１から野菜の売り場を示す設置場所ＩＤを受信する。そして、磁界通信端末２は、磁界通信端末内の記憶装置に設置場所ＩＤと進入時刻と進入時刻からの経過時間を対応づけて記録する。経過時間は、設置場所ＩＤを受信している間は加算され、設置場所ＩＤが受信不可能となったら、つまり、磁界通信端末２が磁界通信可能エリア１１から出たなら、加算は停止される。
【００２６】
顧客は、例えば、次に、菓子の売り場に移動する。磁界通信端末２は、磁界通信可能エリア１１に進入したなら、磁界通信装置１から菓子の売り場を示す設置場所ＩＤを受信する。磁界通信端末２は、野菜の売り場での動作と同様に、磁界通信端末２内の記憶装置に設置場所ＩＤと進入時刻と経過時間を対応づけて記録する。
【００２７】
こうして売り場を移動し、顧客は、最後に精算場所（レジ）に移動する。磁界通信端末２は、磁界通信可能エリア３１に進入したなら、記憶装置から設置場所ＩＤと進入時刻と経過時間を全て読み出し、磁界通信サーバ３に送信する。
【００２８】
磁界通信サーバ３は、設置場所ＩＤと進入時刻と経過時間を受信し、磁界通信サーバ３内の記憶装置に設置場所ＩＤと進入時刻と経過時間を対応づけて記憶させる。
【００２９】
顧客は、磁界通信端末２の入った買い物かごから買った物を出し、買い物かごを置いて、出口から出る。
【００３０】
したがって、第１の実施の形態に係る動態モニターシステムによれば、磁界通信サーバ３は、磁界通信端末２が入った買い物かごの動態、すなわち、顧客の動態を記録していることになり、すなわち、電波を使わず、簡易な構成により、顧客の動態を容易に把握できる。
【００３１】
［第２の実施の形態］
図３は、第２の実施の形態に係る動態モニターシステムの一利用形態を示す図である。
【００３２】
第１の実施の形態と同様に、動態モニターシステムは、各売り場などに設置される磁界通信装置１と、顧客が持った買い物かごなどに設置される磁界通信端末２とを備え、更に磁界通信端末２との電磁波通信が可能な集約装置３Ａを備える。磁界通信装置１は、例えば、精算場所（レジ）にも設置される。磁界通信端末２との電磁波通信が可能ならば、集約装置３Ａの設置場所は任意である。
【００３３】
図２と同様に、磁界通信装置１はループアンテナによりその周囲のみに磁界通信可能エリア１１を形成する。
【００３４】
顧客は、食品店などに入ると、磁界通信端末２が入った買い物かごを取る。各磁界通信装置１は、磁界通信装置１の設置場所を示す設置場所ＩＤ、現在時刻およびトリガ信号を常時、磁界通信可能エリア１１に放出している。
【００３５】
顧客は、例えば、野菜の売り場に移動する。磁界通信端末２は、磁界通信可能エリア１１に進入したなら、磁界通信装置１から野菜の売り場を示す設置場所ＩＤ、現在時刻およびトリガ信号を受信する。磁界通信端末２は、受信した設置場所ＩＤ、受信した現在時刻並びに、磁界通信端末２を示す磁界通信端末ＩＤを集約装置３Ａに送信する。集約装置３Ａは、設置場所ＩＤ、現在時刻並びに磁界通信端末ＩＤを受信し、集約装置３Ａ内の記憶装置に記憶させる。
【００３６】
顧客は、例えば、次に、菓子の売り場に移動する。磁界通信端末２は、磁界通信可能エリア１１に進入したなら、磁界通信装置１から菓子の売り場を示す設置場所ＩＤ、現在時刻およびトリガ信号を受信する。磁界通信端末２は、野菜の売り場での動作と同様に、受信した設置場所ＩＤ、受信した現在時刻並びに、磁界通信端末ＩＤを集約装置３Ａに送信する。集約装置３Ａは、設置場所ＩＤ、現在時刻並びに磁界通信端末ＩＤを受信し、集約装置３Ａ内の記憶装置に記憶させる。
【００３７】
こうして売り場を移動し、顧客は、最後に精算場所（レジ）に移動する。磁界通信端末２は、磁界通信可能エリア１１に進入したなら、磁界通信装置１から精算場所を示す設置場所ＩＤ、現在時刻およびトリガ信号を受信する。磁界通信端末２は、受信した設置場所ＩＤ、受信した現在時刻、磁界通信端末ＩＤおよび完了のメッセージを集約装置３Ａに送信する。
【００３８】
集約装置３Ａは、設置場所ＩＤ、現在時刻、磁界通信端末ＩＤおよび完了のメッセージを受信し、受信した設置場所ＩＤ、受信した現在時刻、磁界通信端末ＩＤを対応づけて集約装置３Ａ内の記憶装置に記憶させる。
【００３９】
顧客は、磁界通信端末２の入った買い物かごから買った物を出し、買い物かごを置いて、出口から出る。
【００４０】
したがって、第２の実施の形態に係る動態モニターシステムによれば、集約装置３Ａには顧客の動態が記録されており、すなわち、顧客の動態を容易に把握できる。しかも、売り場毎に通信を行うので、リアルタイムに顧客の動態を把握できる。
【００４１】
［第３の実施の形態］
図４は、第４の実施の形態に係る動態モニターシステムの一利用形態を示す図である。
【００４２】
第１の実施の形態と同様に、動態モニターシステムは、各売り場などに設置される磁界通信装置１と、顧客が持った買い物かごなどに設置される磁界通信端末２とを備え、更に磁界通信装置１との通信が可能な集約装置３Ｂとを備える。磁界通信装置１は、例えば、精算場所（レジ）にも設置される。磁界通信装置１と集約装置３Ｂとの間の通信方法は任意である。図の利用形態は、磁界通信装置１と集約装置３Ｂが電磁波通信を行うものであるが、有線通信を行ってもよい。
【００４３】
顧客は、食品店などに入ると、磁界通信端末２が入った買い物かごを取る。各磁界通信装置１はトリガ信号を常時、磁界通信可能エリア１１に放出している。
【００４４】
顧客は、例えば、野菜の売り場に移動する。磁界通信端末２は、磁界通信可能エリア１１に進入し、トリガ信号を受信したなら、磁界通信端末２自身を示す磁界通信端末ＩＤを磁界通信装置１に送信する。
【００４５】
磁界通信装置１は、磁界通信端末ＩＤを受信し、磁界通信端末ＩＤとその受信時刻（ＩＤ受信時刻）を集約装置３Ｂに送信する。集約装置３Ｂは、磁界通信端末ＩＤとＩＤ受信時刻を受信し、集約装置３Ａ内の記憶装置に記憶させる。
【００４６】
顧客は、例えば、次に、菓子の売り場に移動する。磁界通信端末２は、磁界通信可能エリア１１に進入し、トリガ信号を受信したなら、磁界通信端末ＩＤを磁界通信装置１に送信する。
【００４７】
磁界通信装置１は、磁界通信端末ＩＤを受信し、磁界通信端末ＩＤとその受信時刻（ＩＤ受信時刻）を集約装置３Ｂに送信する。
【００４８】
集約装置３Ｂは、磁界通信端末ＩＤとＩＤ受信時刻を受信し、対応づけて集約装置３Ａ内の記憶装置に記憶させる。
【００４９】
こうして売り場を移動し、顧客は、最後に精算場所（レジ）に移動する。磁界通信端末２は、磁界通信可能エリア１１に進入し、トリガ信号を受信したなら、磁界通信端末ＩＤを磁界通信装置１に送信する。
【００５０】
磁界通信装置１は、磁界通信端末ＩＤを受信し、磁界通信端末ＩＤとその受信時刻（ＩＤ受信時刻）並びに、完了のメッセージを集約装置３Ｂに送信する。
【００５１】
集約装置３Ｂは、磁界通信端末ＩＤとＩＤ受信時刻並びに、完了のメッセージを受信し、磁界通信端末ＩＤとＩＤ受信時刻を対応づけて集約装置３Ｂ内の記憶装置に記憶させる。
【００５２】
顧客は、磁界通信端末２の入った買い物かごから買った物を出し、買い物かごを置いて、出口から出る。
【００５３】
したがって、第３の実施の形態に係る動態モニターシステムによれば、集約装置３Ｂには顧客の動態が記録されており、すなわち、顧客の動態を容易に把握でき、しかも磁界通信端末２と集約装置３Ｂの通信が不要なので、磁界通信端末２の小型化、省電力化が図れる。また、売り場毎に通信を行うので、リアルタイムに顧客の動態を把握できる。
【００５４】
なお、上記各実施の形態では、磁界通信端末２を買い物かごに入れたが、磁界通信端末２を紐などで顧客の首などにかけてもよい。また、磁界通信端末２は、常に人などが身につける財布などに入れ、持ち帰ってもよいこととしてもよい。また、ループアンテナは、床でなく壁などに配置してもよい。
【符号の説明】
【００５５】
１  磁界通信装置
２  磁界通信端末
３  磁界通信サーバ
３Ａ、３Ｂ  集約装置
【図１】
2017028558.tif 000003
【図２】
2017028558.tif 000004
【図３】
2017028558.tif 000005
【図４】
2017028558.tif 000006